(57)【要約】  デジタル放送により、コンテンツ受信装置にコンテンツデータを送信するコンテンツ送信装置において、コンテンツデータを格納する記憶部と、コンテンツデータをデジタル放送用に編集するデータサーバと、データサーバで編集されたコンテンツデータをデジタル放送により送信する放送部と、コンテンツ受信装置に対し、通信ネットワーク経由でコンテンツデータを送信する通信部を備え、データサーバは、コンテンツデータを１つまたは複数のセグメントに分割するセグメント生成部と、コンテンツ受信装置が、通信ネットワークを介して、セグメントのコンテンツデータを取得するための接続先情報を生成するリンク生成部と、セグメントと接続先情報を、１つまたは複数の伝送用レイヤに配置する伝送制御部を備え、放送部は、伝送用レイヤ単位でカルーセル伝送によるデジタル放送を行う。【特許請求の範囲】
【請求項１】
デジタル放送により、コンテンツ受信装置にコンテンツデータを送信するコンテンツ送信装置において、
上記コンテンツデータを格納する記憶部と、
上記コンテンツデータをデジタル放送により送信する放送部と、
上記コンテンツ受信装置に対し、通信ネットワーク経由で上記コンテンツデータを送信する通信部と、
上記コンテンツデータを１つまたは複数のセグメントに分割するセグメント生成部と、
上記コンテンツ受信装置が、上記通信ネットワークを介して、上記セグメントのコンテンツデータを取得するための接続先情報を生成するリンク生成部と、
上記セグメントと上記接続先情報を、１つまたは複数の伝送用レイヤに配置する伝送制御部を備え、
上記放送部は、上記伝送用レイヤ単位でカルーセル伝送によるデジタル放送を行うことを特徴とするコンテンツ送信装置。
【請求項２】
上記伝送制御部は、上記セグメントとそのセグメントに対する接続先情報に加え、他のセグメントに対する接続先情報を１つの伝送用レイヤに配置することを特徴とする請求項１記載のコンテンツ送信装置。
【請求項３】
あるデータ量を超えるセグメントについてはデジタル放送を行わず、そのセグメントに対する接続先情報のみをカルーセル伝送することを特徴とする請求項１記載のコンテンツ送信装置。
【請求項４】
上記伝送制御部は、各セグメントの接続先情報のみを含む伝送用レイヤを設けることを特徴とする請求項１記載のコンテンツ送信装置。
【請求項５】
上記放送部は、各セグメントの接続先情報のみを含む伝送用レイヤについては、カルーセル伝送の周期がある時間以下となるように制御することを特徴とする請求項４記載のコンテンツ送信装置。
【請求項６】
セグメントについてはデジタル放送を行わず、セグメントの接続先情報のみをカルーセル伝送することを特徴とする請求項４記載のコンテンツ送信装置。
【請求項７】
上記伝送制御部は、各セグメントに対する上記コンテンツ受信装置からの通信ネットワークを介した接続頻度に基づいて、各セグメントと接続先情報の伝送用レイヤへの配置方法を決定することを特徴とする請求項１記載のコンテンツ送信装置。
【請求項８】
上記伝送制御部は、上記コンテンツ受信装置からの通信ネットワークを介した接続頻度が所定値以上のセグメントに対する接続先情報のみを含む伝送用レイヤを設けることを特徴とする請求項７記載のコンテンツ送信装置。
【請求項９】
上記伝送制御部は、上記コンテンツ受信装置からの通信ネットワークを介した接続頻度が所定値以上のセグメントのみを含む伝送用レイヤを設けることを特徴とする請求項７記載のコンテンツ送信装置。
【請求項１０】
上記放送部は、カルーセル伝送の帯域幅を制御することにより、ある伝送用レイヤについて、カルーセル伝送の周期がある時間以下となるように制御することを特徴とする請求項１記載のコンテンツ送信装置。
【請求項１１】
コンテンツ送信装置からデジタル放送により送信されるコンテンツデータをコンテンツ受信装置が受信するコンテンツ配信システムにおいて、
上記コンテンツ送信装置は、
上記コンテンツデータを格納する記憶部と、
上記コンテンツデータをデジタル放送により送信する放送部と、
上記コンテンツ受信装置に対し、通信ネットワーク経由で上記コンテンツデータを送信する通信部と、
上記コンテンツデータを１つまたは複数のセグメントに分割するセグメント生成部と、
上記コンテンツ受信装置が、上記通信ネットワークを介して、上記セグメントのコンテンツデータを取得するための接続先情報を生成するリンク生成部と、
上記セグメントと上記接続先情報を、１つまたは複数の伝送用レイヤに配置する伝送制御部を備え、
上記放送部は、上記伝送用レイヤ単位でカルーセル伝送によるデジタル放送を行い、
上記コンテンツ受信装置は、受信した上記接続先情報を利用して、上記通信ネットワークを介して、上記コンテンツデータを取得することを特徴とするコンテンツ配信システム。
【発明の詳細な説明】
【技術分野】
【０００１】
この発明は、コンテンツ送信装置およびコンテンツ配信システムに関するものである。
【背景技術】
【０００２】
近年、携帯電話の普及はめざましく、また、機能もこれまでの音声電話通信機能に加え、映像のリアルタイム通信が可能なテレビ電話機能や、静止画や動画を含む各種データコンテンツを取得・蓄積し再生するデータ通信機能を備えたものが一般的になりつつある。
一方、地上デジタル放送サービスが日本において２００３年末から開始された。地上デジタル放送では、携帯電話などの携帯端末や車載機器など、移動体端末での放送受信サービスが検討されている。移動体端末での放送受信サービスでは、移動体端末の処理能力等の各種リソースの制約や、低消費電力化の必要性などを考慮して、１チャネルの伝送帯域の一部を移動体端末用に割当て、その一部の帯域のみを受信することにより、映像、音声、データコンテンツを利用できるようにするという方式が検討されている。【０００３】
従来のデータ放送装置、受信装置の例として、特許文献１に開示された従来のデータ放送装置およびデータ放送受信装置では、データ放送装置は階層化された複数の放送データ、およびその放送データのリンク関係を示す番組編成ファイルを常時配信する。データ放送受信装置はそれを受信し、番組編成ファイルに従って、予め受信して記憶しておいた放送データを再生する。番組編成ファイルには、更新日時情報が付加されており、定期的に更新状態を検査して、更新されていれば放送データを書き換えるようにする。【０００４】
【特許文献１】特開２０００−３１８４９号公報
【０００５】
しかし、携帯電話を用いてコンテンツを取得する場合、一般的には取得するデータのサイズに応じた通信料が必要となる。このため、不要な静止画や動画を含むデータサイズの大きいコンテンツを取得することは、視聴者にとって多大な通信コストの負担となる。
また、上述したように移動体端末向けの地上デジタル放送では、１チャネルの伝送帯域の一部という制限された帯域の中で映像・音声放送及びデータ放送を行なうことになる。このため、高品質な映像・音声放送を行なうためには、データ放送サービスに充分な帯域を割当てることが難しい。また、データ放送では、カルーセル伝送により一定周期で同じ内容のデータを送信するため、カルーセル構成で伝送されるコンテンツの容量が大きい場合には、カルーセルの周期が長くなり、データ受信の開始から完了までの時間が長くなるという問題がある。【０００６】
この発明は上記のような課題を解決するためになされたもので、デジタル放送によるコンテンツの配信を効率よく行なうことを目的とする。
【発明の開示】
【０００７】
この発明に係るコンテンツ送信装置は、デジタル放送により、コンテンツ受信装置にコンテンツデータを送信するコンテンツ送信装置において、コンテンツデータを格納する記憶部と、コンテンツデータをデジタル放送により送信する放送部と、コンテンツ受信装置に対し、通信ネットワーク経由でコンテンツデータを送信する通信部と、コンテンツデータを１つまたは複数のセグメントに分割するセグメント生成部と、コンテンツ受信装置が、通信ネットワークを介して、セグメントのコンテンツデータを取得するための接続先情報を生成するリンク生成部と、セグメントと接続先情報を、１つまたは複数の伝送用レイヤに配置する伝送制御部を備え、放送部は、伝送用レイヤ単位でカルーセル伝送によるデジタル放送を行うものである。
これにより、デジタル放送とデータ通信を連携させ、効率のよいコンテンツ配信を実現することができる。
【０００８】
この発明に係るコンテンツ配信システムは、コンテンツ送信装置からデジタル放送により送信されるコンテンツデータをコンテンツ受信装置が受信するコンテンツ配信システムにおいて、コンテンツ送信装置は、コンテンツデータを格納する記憶部と、コンテンツデータをデジタル放送により送信する放送部と、コンテンツ受信装置に対し、通信ネットワーク経由でコンテンツデータを送信する通信部と、コンテンツデータを１つまたは複数のセグメントに分割するセグメント生成部と、コンテンツ受信装置が、通信ネットワークを介して、セグメントのコンテンツデータを取得するための接続先情報を生成するリンク生成部と、セグメントと接続先情報を、１つまたは複数の伝送用レイヤに配置する伝送制御部を備え、放送部は、伝送用レイヤ単位でカルーセル伝送によるデジタル放送を行い、コンテンツ受信装置は、受信した接続先情報を利用して、通信ネットワークを介して、コンテンツデータを取得するものである。
これにより、デジタル放送とデータ通信を連携させ、効率のよいコンテンツ配信を実現することができる。
【図面の簡単な説明】
【０００９】
【図１】この発明の実施の形態１による、コンテンツ配信システムの構成を示すブロック図である。
【図２】この発明の実施の形態１による、コンテンツの階層構造の例を示す図である。
【図３】この発明の実施の形態１による、コンテンツの伝送用レイヤへの配置例を示す図である。
【図４】この発明の実施の形態１による、コンテンツをカルーセル伝送方式により放送する場合の伝送制御方法の例を示す図である。
【図５】この発明の実施の形態１による、コンテンツの伝送用レイヤへの配置例を示す図である。
【発明を実施するための最良の形態】
【００１０】
以下、この発明をより詳細に説明するために、この発明を実施するための最良の形態について、添付の図面に従って説明する。
実施の形態１．
図１は、この発明の実施の形態１によるコンテンツ配信システム１００の構成を示すブロック図である。図に示すように、コンテンツ配信システム１００は、コンテンツ送信装置２００、コンテンツ受信装置３００を備えている。
コンテンツ送信装置２００は、デジタル放送機能とデータ通信機能を有し、コンテンツをデジタル放送波に重畳してデータ放送として送信することも、通信ネットワーク２０を経由してデータ通信により送信することもできる。
コンテンツ受信装置３００は、携帯電話端末等の移動体端末であり、放送データの受信、蓄積および再生機能と、通常のテレビ放送によるＴＶ番組データの受信および再生機能を有する。また、基地局２１を介した無線通信経由でのコンテンツの受信、再生を行うこともできる。【００１１】
コンテンツ送信装置２００は、記憶部２０１、データサーバ２０２、放送部２０３、及び通信部２０４を備えている。また、データサーバ２０２は、セグメント生成部２０５、リンク生成部２０６、伝送制御部２０７を備えている。
記憶部２０１は、コンテンツ送信装置２００の内部メモリあるいは外部記憶装置等を構成する部分である。記憶部２０１にはコンテンツデータが格納されており、各コンテンツ同士は階層構造により関連付けられている。図２は、コンテンツの階層構造の例を示す図である。図中、Ａ，Ｂ１，Ｃ１，Ｃ２，Ｄ１，Ｅ１〜Ｅ４，Ｆ１〜Ｆ５，Ｇ１〜Ｇ８は、それぞれ、コンテンツの各エントリを表しており、その内容が簡単に示されている。例えば、エントリＡのコンテンツの具体的内容は「オープニング」であり、配下にはエントリＢ１，Ｃ２のコンテンツがある。また、エントリＢ１のコンテンツの具体的内容は「ＣＭ（広告）」であり、配下には「シティガイド」を内容とするエントリＣ１のコンテンツがある。エントリＣ１のコンテンツは「ＣＭ」を内容とするエントリＤ１のコンテンツと、「横浜」を内容とするコンテンツＥ２を配下に持ち、「ショッピング」を内容とするエントリＣ２のコンテンツは「衣類」を内容とするエントリＥ３のコンテンツと、「家具」を内容とするエントリＥ４のコンテンツを配下に持つことを示している。
コンテンツ受信装置３００は、放送受信用アンテナ３０１、チューナ３０２、復調部３０３、ＭＰＥＧ−ＴＳ分離部３０４、セレクタ３０５、ＭＰＥＧ−ＡＶデコーダ３０６、ビデオＲＡＭ３０７、映像合成部３０８、ＣＰＵ３０９、メモリ３１０、ＦＩＦＯバッファ３１１、ディスクＩ／Ｏ３１２、ハードディスクドライブ３１３、音声出力装置３１４、表示装置３１５、携帯電話用アンテナ３１６、無線通信部３１７、プロトコル処理部３１８を備えている。【００１２】
次に、動作について説明する。
まず、放送によるコンテンツの送受信処理について説明する。
まず、コンテンツ送信装置２００において、データサーバ２０２は、記憶部２０１からコンテンツデータを取得する。
データサーバ２０２は、セグメント生成部２０５において取得したコンテンツデータを複数のセグメントに分割する。また、リンク生成部２０６において、各セグメントのコンテンツをコンテンツ受信装置３００から無線通信経由で取得する場合の接続先を示すリンク先情報（接続先情報）を生成する。【００１３】
伝送制御部２０７は、生成された各セグメントとそのリンク先情報を複数のレイヤ（伝送用レイヤ）に配置する。
図３は、実施の形態１による、コンテンツのレイヤへの配置例を示す図である。ここでは、全てのコンテンツを合計Ｎ＋１個のレイヤに配置している。
セグメント生成部２０５は、各コンテンツをデータ容量の少ない順にその階層構成に従ってセグメントに分割している。セグメント１（３０７）はエントリＡを含み、セグメント２（３０８）はエントリＢ１，Ｃ１，Ｃ２、セグメント３（３０９）はエントリＤ１，Ｅ１〜Ｅ４、セグメント４（３１０）はエントリＦ１〜Ｆ５，Ｇ１〜Ｇ８を含む。以下、同様にセグメントＮ（３１１）までのＮ個のセグメントを生成している。
このＮ個のセグメントに対して、リンク生成部２０６において対応するＮ個のリンク先情報（セグメント１へのリンク〜セグメントＮへのリンク）が生成される。
データサーバ２０２は、セグメント１〜Ｎ及びそのリンク先情報の双方をそれぞれレイヤ１（３０２）、レイヤ２（３０３）、レイヤ３（３０４）、レイヤ４（３０５）、・・・、レイヤＮ（３０６）までのＮ個のレイヤに配置する。
更に、データサーバ２０２は、レイヤ１（３０２）からレイヤＮ（３０６）までのＮ個のレイヤに加えて、レイヤ０（３０１）を設ける。レイヤ０（３０１）には、セグメント１（３０７）からセグメントＮ（３１１）までのＮ個のセグメントに対応するリンク先情報のみが配置されている。【００１４】
放送部２０３は、データサーバ２０２に保持されているコンテンツを、図３に示すレイヤ配置に従ってカルーセル伝送方式により放送する。図４は、放送部２０３による、コンテンツをカルーセル伝送方式により放送する場合の伝送制御方法の例を示す図である。
図に示すように、放送部２０３はレイヤ毎に異なる周期でカルーセル伝送を行う。ここでは例えば、レイヤ０は周期Ｔ、レイヤ１は周期２Ｔ、レイヤ２は周期３Ｔ、レイヤ３は周期４Ｔ、レイヤ４は周期５Ｔ、レイヤＮはそれ以上の長さの周期で、それぞれカルーセル伝送される。また、各レイヤに対して割り当てられる放送の帯域幅は全て等しいものとする。【００１５】
コンテンツ受信装置３００は、コンテンツ送信装置２００からの放送電波を放送受信用アンテナ３０１で受信する。また、チューナ３０２により、視聴者が所望する放送局に対応する電波を選択する。
復調部３０３は、選択した放送電波を復調し、ＭＰＥＧ（Ｍｏｖｉｎｇ  Ｐｉｃｔｕｒｅ  Ｅｘｐｅｒｔｓ  Ｇｒｏｕｐ）システムのトランスポートストリーム（以下、ＭＰＥＧ−ＴＳと記す。）の形態を採るディジタル情報に復元する。次に、ＭＰＥＧ−ＴＳ分離部３０４は、ＭＰＥＧ−ＴＳに多重されている映像／音声情報とデータ放送情報を分離する。
分離された映像／音声情報は、セレクタ３０５を介してＭＰＥＧ−ＡＶデコーダ３０６に供給され、復号処理される。復号された音声情報は、音声出力装置３１４に供給され、再生される。復号された映像情報は、映像合成部３０８において、ビデオＲＡＭ３０７上に保持されているメニュー画面等と合成され、表示装置３１５によって再生される。
一方、ＭＰＥＧ−ＴＳ分離部３０４で分離されたデータ放送情報はメモリ３１０に格納され、ＣＰＵ３０９の処理によってコンテンツの階層構造が解析された後、ディスクＩ／Ｏ３１２を介してハードディスクドライブ３１３に図２に示すような階層構造を持つファイルとして格納される。【００１６】
次に、コンテンツ受信装置３００における放送データの再生処理について説明する。
視聴者がデータ放送サービスの利用を選択すると、ＣＰＵ３０９は、ハードディスクドライブ３１３から、階層化されたファイルの最上層に当たるエントリＡ「オープニング」のファイルを取得して配下のコンテンツを解析し、次に選択可能なエントリＢ１「ＣＭ」及びエントリＣ２「ショッピング」のファイルをハードディスクドライブ３１３から取得する。また、エントリＢ１とエントリＣ２への選択肢を持つエントリＡのメニュー画面をビデオＲＡＭ３０７において構成し、表示装置３１５によって再生する。
表示装置３１５によって表示されたエントリＡのメニュー画面に従って、視聴者が例えばエントリＢ１「ＣＭ」を選択すると、エントリＢ１の対象ファイルの再生が開始する。
ＣＰＵ３０９は、ハードディスクドライブ３１３に格納されたエントリＢ１のファイルを再生するため、セレクタ３０５の入力をＦＩＦＯバッファ３１１に切替え、エントリＢ１のファイルをハードディスクドライブ３１３からディスクＩ／Ｏ３１２を介して取得し、ＦＩＦＯバッファ３１１にフロー制御を行いながら格納する。ＦＩＦＯバッファ３１１に格納された情報は、セレクタ３０５を介してＭＰＥＧ−ＡＶデコーダ３０６に供給され、通常のテレビ番組と同じように復号化され、映像情報と音声情報とに分離されて、それぞれ音声出力装置３１４または表示装置３１５によって再生される。
このようにして、エントリＢ１「ＣＭ」のコンテンツの再生が終了すると、エントリＢ１の配下のエントリＣ１「シティガイド」が再生される。また、エントリＣ１の配下のエントリＤ１「ＣＭ」とＥ２「横浜」への選択肢を持つエントリＣ１のメニュー画面がビデオＲＡＭ３０７において構成され、表示装置３１５によって再生される。以下、同様に階層構造に従ってコンテンツが再生される。【００１７】
コンテンツ受信装置３００においてコンテンツ再生を行う際、コンテンツ容量が大きいために放送によるコンテンツ取得に時間がかかったり、あるいは電波状態が悪いために放送による伝送品質が劣化し、コンテンツ取得に失敗したりすることにより、再生しようとするコンテンツがコンテンツ受信装置３００で取得できていないということが起こりうる。
この場合、コンテンツ受信装置３００は、レイヤ０（３０１）に含まれる各セグメントへのリンク情報を用いて、無線通信により所望のコンテンツを取得することができる。【００１８】
コンテンツ受信装置３００は、コンテンツ送信装置２００からカルーセル伝送されるコンテンツを受信しているが、上述したように、放送部２０３は、レイヤ毎に異なる周期でカルーセル伝送するため、コンテンツ受信装置３００でコンテンツの受信を開始してから完了するまでにかかる時間はレイヤ毎に異なる。すなわち、図４に示す例では、例えばレイヤ０については受信完了するまでの待ち時間はＴ、レイヤ１は２Ｔ、レイヤ２は３Ｔとなる。
まず、コンテンツ受信装置３００は、コンテンツ送信装置２００からカルーセル伝送されるレイヤ０のコンテンツを取得する。図４に示したように、レイヤ０については周期Ｔという最も短い周期で繰り返し伝送されており、待ち時間Ｔで受信を完了することができる。【００１９】
コンテンツ受信装置３００が放送によりレイヤ０のコンテンツを取得した後、視聴者が無線通信によるコンテンツ取得を指示すると、ＣＰＵ３０９は、ハードディスクドライブ３１３からレイヤ０の情報を取得し、表示装置３１５によってセグメント１からセグメントＮへのリンク先情報を表示する。
ここで、視聴者が例えばセグメント４への通信リンクを選択すると、通信プロトコルの終端処理を行うプロトコル処理部３１８と無線通信部３１７が起動され、携帯電話用アンテナ３１６を介して基地局２１、通信ネットワーク２０経由でコンテンツ送信装置２００へセグメント４のコンテンツ取得要求が通知される。
コンテンツ送信装置２００の通信部２０４においてセグメント４のコンテンツ取得要求を受信すると、データサーバ２０２は、記憶部２０１からセグメント４のコンテンツを取得し、通信部２０４によりそれらのコンテンツがコンテンツ受信装置３００に送信される。
コンテンツ受信装置３００は、通信ネットワーク２０、基地局２１経由で携帯電話用アンテナ３１６を介してセグメント４のコンテンツを受信し、無線通信部３１７及びプロトコル処理部３１８によりセグメント４のコンテンツデータが抽出されてメモリ３１０に格納され、ＣＰＵ３０９の処理によりディスクＩ／Ｏ３１２を介してハードディスクドライブ３１３にファイルとして格納される。【００２０】
また、コンテンツ受信装置３００は、レイヤ１からレイヤＮにそれぞれ配置されているセグメント１からセグメントＮへのリンク情報を用いることにより、無線通信による通信経由でコンテンツ送信装置２００にアクセスし、所望のコンテンツ（セグメント）の取得要求を送信してもよい。
例えば、レイヤ１からレイヤＮのうちのあるコンテンツを放送により取得する際に、コンテンツ容量が大きいため放送によるコンテンツ取得完了に時間がかかりそうな場合や、電波状態により放送による伝送品質が劣化したためにコンテンツ取得に失敗し、一部のデータが欠損した場合には、各レイヤに配置されているリンク情報を用いて、無線通信経由でコンテンツを取得する。【００２１】
以上のように、実施の形態１によれば、コンテンツ送信装置２００は、コンテンツをセグメントに分割し、各セグメントに対し、データ通信によりアクセスするためのリンク先情報を生成し、各セグメントのコンテンツデータと対応するリンク先情報を、複数のレイヤに配置し、レイヤ単位のカルーセル伝送を行うようにした。また、コンテンツ受信装置３００は、放送によるコンテンツ受信に時間がかかったり、受信に失敗した場合に、放送により受信した各セグメントへのリンク先情報を用いて、無線通信経由で所望のセグメントのコンテンツを取得するようにしたので、移動体端末に対して、デジタル放送コンテンツの配信を効果的に行なうことができる。【００２２】
また、実施の形態１では、各レイヤにセグメントとそのセグメントに対応するリンク先情報を配置したが、それらに加えてそのセグメント以外の関連セグメントに対応するリンク先情報を配置してもよい。例えば、図３に示す例において、レイヤ１にセグメント３やセグメント４へのリンクを配置してもよい。これにより、コンテンツ受信装置３００においてコンテンツを再生する際に、セグメント１のエントリＡから、セグメント２のコンテンツを介さずに、直接セグメント３、４のコンテンツにアクセスすることが可能となり、関連セグメントへの効率的なアクセスが可能となる。
また、セグメントのデータサイズが一定の大きさを超えるセグメントについてはセグメント（コンテンツ）そのものは放送による配信を行わず、そのセグメントに対応するリンク先情報のみをカルーセル伝送するようにしてもよい。コンテンツ受信装置３００は、放送により取得したリンク先情報を用いて、無線通信経由でコンテンツデータを取得することができる。【００２３】
また、実施の形態１では、各セグメントへのリンク先情報のみから構成されるレイヤ（レイヤ０）を設け、放送によりカルーセル伝送しているが、このようなリンク先情報のみから構成されるレイヤについては、カルーセル伝送の周期が一定の時間以下となるようにしてもよい。具体的には、例えば当該レイヤの伝送帯域幅を大きくすることにより周期を調整する。
また、この場合、セグメントについては放送によるカルーセル伝送を行なわず、すべて無線通信経由で取得させるようにしてもよい。限られた帯域幅しか用いることのできない放送よりも、帯域を広く取れる無線通信経由での送信を行うことにより、特にコンテンツのデータサイズが大きい場合には、効率よくコンテンツ配信をすることができる。【００２４】
また、コンテンツ送信装置２００は、コンテンツ受信装置３００からの無線通信経由での各セグメントへのアクセス履歴に基づいて、放送によるカルーセル伝送を制御するようにしてもよい。
例えば、アクセス頻度の多いセグメントに対応するリンク先情報のみから構成されるレイヤを設けて放送によりカルーセル伝送するようにしてもよい。
或いは、アクセス頻度の多いセグメントから構成されるレイヤを設けて放送によりカルーセル伝送するようにしてもよい。または、アクセス頻度の多いセグメントおよび該セグメントに対応するリンク先情報から構成されるレイヤを設けて放送によりカルーセル伝送するようにしてもよい。【００２５】
また、実施の形態１では、各レイヤの放送によるカルーセル伝送のために割当てる帯域幅を全て等しくしたが、図５に示すように帯域幅を必要に応じて制御するようにしてもよい。
また、別の例として、特定のレイヤの放送によるカルーセル伝送の周期が一定時間以内となるように制御してもよい。具体的には、例えば特定のレイヤの伝送帯域幅を大きくしたり、各レイヤに配置される情報量を調整することにより周期を制御する。
【産業上の利用可能性】
【００２６】
以上のように、この発明に係るコンテンツ送信装置は、移動体端末に対して、コンテンツの配信を効果的に行なうことに適している。
【図１】
2006006219.tif 000002
【図２】
2006006219.tif 000003
【図３】
2006006219.tif 000004
【図４】
2006006219.tif 000005
【図５】
2006006219.tif 000006
【国際調査報告】
2006006219.tif 000007
2006006219.tif 000008